(57)【要約】【課題】機構室内で圧縮された空気がモータ側へ流れるのを抑制することが可能な電動工具を提供する。【解決手段】電動工具１は、モータ３１と、伝達機構４０と、ケース６と、ハウジング２と、連絡路６４と、を備える。伝達機構４０は、モータ３１の回転軸３１１の回転を工具に伝達する。ケース６は、伝達機構４０の少なくとも一部を収容する機構室６０を有する。ハウジング２は、モータ３１とケース６とを収容している。連絡路６４は、ケース６に形成され、機構室６０内とハウジング２の内部空間とをつなぐ。連絡路６４は、ケース６から見てモータ３１のモータ本体３１０が位置する第１の向きとは異なる第２の向きに、機構室６０を開放する。【選択図】図４
2019098427.tif 000002
【特許請求の範囲】
【請求項１】
モータと、
前記モータの回転軸の回転を工具に伝達する伝達機構と、
前記伝達機構の少なくとも一部を収容する機構室を有するケースと、
前記モータと前記ケースとを収容しているハウジングと、
前記ケースに形成され、前記機構室内と前記ハウジングの内部空間とをつなぐ連絡路と、を備え、
前記連絡路は、前記ケースから見て前記モータのモータ本体が位置する第１の向きとは異なる第２の向きに、前記機構室を開放する、
電動工具。
【請求項２】
前記機構室内に収納された潤滑剤と、
前記連絡路内に配置され、前記機構室から前記ハウジングの内部空間へ向けて流出する前記潤滑剤を捕捉するフィルタと、を更に備える、
請求項１に記載の電動工具。
【請求項３】
前記連絡路は、前記潤滑剤を溜める捕捉室を有する、
請求項２記載の電動工具。
【請求項４】
前記ケースは、前記回転軸の軸方向の一方から見て外周形状が円形状であり、
前記連絡路は、前記機構室に向けて開口する第１開口部と、前記ハウジングの内部空間に向けて前記第２の向きに開口する第２開口部と、を有し、
前記第２の向きは、前記ケースの一径方向に沿った向きである、
請求項１〜３のいずれか一項に記載の電動工具。
【請求項５】
連絡路は、前記機構室に向けて開口する第１開口部と、前記ハウジングの内部空間に向けて前記第２の向きに開口する第２開口部と、を有し、
前記第１開口部と前記回転軸との距離が、前記第２開口部と前記回転軸との距離よりも短い、
請求項１〜４のいずれか一項に記載の電動工具。
【請求項６】
前記ハウジングの内周面から前記ケースに向かって突出した位置決め用突起を更に備え、
前記連絡路の一部が、前記ケースにおいて前記位置決め用突起が挿入される位置決め穴と兼用されている、
請求項１〜５のいずれか一項に記載の電動工具。
【請求項７】
前記回転軸の軸方向に沿った方向において、前記連絡路における前記ハウジングの内部空間へ向けて開口する開口部と前記モータ本体との間に位置する壁を更に備える、
請求項１〜６のいずれか一項に記載の電動工具。
【請求項８】
前記モータとファンとを含むモータブロックを有し、
前記ハウジングは、前記モータブロックの周囲に形成されて前記ハウジングの前記内部空間と前記ハウジングの外部空間とをつなぐ通気孔を有する、
請求項１〜７のいずれか一項に記載の電動工具。
【発明の詳細な説明】
【技術分野】
【０００１】
本発明は、一般に電動工具に関し、より詳細には、モータを備える電動工具に関する。
【背景技術】
【０００２】
従来、一部に機構室を画成し、機構室を含む内部に潤滑剤が封入されたハウジングと、ハウジング内に収容された電動モータと、機構室内に設けられて電動モータの回転を変速する変速機構部と、を備える、電動工具が知られている（特許文献１）。
【０００３】
特許文献１に記載された電動工具は、ハウジングに設けられて、機構室に開口する入口と入口に連通する出口とを備えた連通部を形成する連通部形成部と、連通部の出入口方向を遮る第１フィルタと第２フィルタと、を備えている。
【先行技術文献】
【特許文献】
【０００４】
【特許文献１】特開２００６−１３０５９３号公報
【発明の概要】
【発明が解決しようとする課題】
【０００５】
特許文献１に記載された電動工具では、機構室内で圧縮された空気が電動モータ側へ流れてしまう。
【０００６】
本発明の目的は、機構室内で圧縮された空気がモータ側へ流れるのを抑制することが可能な電動工具を提供することにある。
【課題を解決するための手段】
【０００７】
本発明に係る一態様の電動工具は、モータと、伝達機構と、ケースと、ハウジングと、連絡路と、を備える。前記伝達機構は、前記モータの回転軸の回転を工具に伝達する。前記ケースは、前記伝達機構の少なくとも一部を収容する機構室を有する。前記ハウジングは、前記モータと前記ケースとを収容している。前記連絡路は、前記ケースに形成され、前記機構室内と前記ハウジングの内部空間とをつなぐ。前記連絡路は、前記ケースから見て前記モータのモータ本体が位置する第１の向きとは異なる第２の向きに、前記機構室を開放する。
【発明の効果】
【０００８】
本発明の電動工具は、機構室内で圧縮された空気がモータ側へ流れるのを抑制することが可能となる。
【図面の簡単な説明】
【０００９】
【図１】図１は、本発明の一実施形態に係る電動工具の斜視図である。
【図２】図２は、同上の電動工具を示し、一部断面を示す正面図である。
【図３】図３は、同上の電動工具の横断面図である。
【図４】図４は、同上の電動工具における連絡路を含む要部の断面図である。
【図５】図５は、同上の電動工具を示し、ハウジングの一部を破断した斜視図である。
【図６】図６は、同上の電動工具における駆動ブロックを含む要部の分解斜視図である。
【図７】図７は、同上の電動工具の駆動ブロックのケースの分解斜視図である。
【図８】図８は、同上の電動工具の駆動ブロックのケースの分解斜視図である。
【図９】図９は、同上の電動工具の一方のハウジング用部材を示し、一部破断した斜視図である。
【発明を実施するための形態】
【００１０】
（実施形態）
（１）電動工具の全体構成
以下、実施形態に係る電動工具１について、図１〜９を参照して説明する。
【００１１】
本実施形態の電動工具１は、図２、３、５及び６に示すように、モータ３１を含むモータブロック３と、モータ３１の回転軸３１１の回転を工具に伝達する伝達機構４０と、伝達機構４０の一部を収容する機構室６０を有するケース６と、モータブロック３とケース６とを収容しているハウジング２と、を備える。電動工具１は、工具であるビット（ドライバービット）を保持するためのソケットを装着可能なソケット装着部７を備える。ソケットには、ビットが着脱可能に装着される。伝達機構４０とケース６とを含む駆動ブロック４は、モータ３１の回転を利用してビットを駆動する。本実施形態の電動工具１では、伝達機構４０は、インパクト機構を含む。本実施形態の電動工具１は、インパクト機構による打撃力でねじ締め作業を行う電動式のインパクトドライバーである。
【００１２】
電動工具１には、充電式の電池パックが着脱可能に取り付けられる。電動工具１は、電池パックを電源として動作する。電池パックは、電動工具１の構成要素ではない。ただし、電動工具１は、電池パックを備えていてもよい。電池パックは、複数の二次電池（例えば、リチウムイオン電池）を直列接続して構成された組電池と、組電池を収容したケースと、を備えている。電池パックは、電池パックの情報を示す電池情報を通信するための、通信用コネクタを備える。電池情報には、例えば、温度情報、残容量情報、定格電圧情報、定格容量情報、回数情報等が含まれる。
【００１３】
（２）電動工具の各構成要素
電動工具１は、作業者が片手で把持可能な可搬型の電動工具である。
【００１４】
電動工具１のハウジング２は、図１〜３に示すように、中空筒形状の胴体部２１と、胴体部２１の外周面から胴体部２１の一径方向に沿った一方向に突出するグリップ部２２と、グリップ部２２の胴体部２１側とは反対側に設けられているベース部２３と、を有する。グリップ部２２は、使用者が手で持つことができるように、一方向に長い中空の筒形状に形成されている。グリップ部２２の内部空間は、胴体部２１の内部空間とつながっている。ベース部２３は、グリップ部２２の胴体部２１側とは反対側に、電池パックが着脱可能に取り付けられる電池パック装着部が設けられている。ハウジング２は、互いに結合される２つのハウジング用部材２０Ａ、２０Ｂを含む。２つのハウジング用部材２０Ａ、２０Ｂは、モータブロック３と駆動ブロック４との並ぶ方向と、胴体部２１とグリップ部２２との並ぶ方向と、に直交する方向（図３では上下方向）において並んでいる。
【００１５】
電動工具１は、図５に示すように、モータブロック３、駆動ブロック４及びソケット装着部７の他に、スイッチ回路モジュール８と、操作部９と、接続ユニット１０と、正逆切換スイッチ１１と、を更に備える。また、電動工具１は、制御回路モジュールを更に備える。
【００１６】
スイッチ回路モジュール８は、グリップ部２２における胴体部２１側の端部においてグリップ部２２の内部空間に配置されている。スイッチ回路モジュール８は、接続ユニット１０等を介して制御回路モジュールと接続されている。制御回路モジュールは、ベース部２３に収容されている。接続ユニット１０は、グリップ部２２の内部空間においてスイッチ回路モジュール８よりも制御回路モジュール側に配置されている。
【００１７】
スイッチ回路モジュール８は、メインスイッチを含む。メインスイッチは、電池パックからモータ３１に電力を供給するための電力供給路に設けられる。操作部９は、電動工具１の使用者の指によって操作されるトリガレバー９１を含む。トリガレバー９１は、スイッチ回路モジュール８の含む操作体８３（図２参照）に連結されている。トリガレバー９１は、操作者の指による操作によってグリップ部２２に引き込まれるように構成されている。スイッチ回路モジュール８は、メインスイッチと、トリガレバー９１をグリップ部２２から突出する向きの力を操作体８３に与えるばねと、メインスイッチ及びばねを収容しているモジュールケース８０と、を含む。
【００１８】
スイッチ回路モジュール８では、トリガレバー９１の引き込み量が所定量以下の場合にはメインスイッチをオフし、トリガレバー９１の引き込み量が所定量を超えるとメインスイッチをオンする。これにより、スイッチ回路モジュール８は、電池パックからモータ３１への電力の供給と遮断とを切り換える。また、スイッチ回路モジュール８は、トリガレバー９１の引き込み量が上記の所定量を超えると、トリガレバー９１の引き込み量に応じた操作信号を、接続ユニット１０等を介して、制御回路モジュールに送信する。接続ユニット１０は、複数（２つ）の中継コネクタ装置１０２と、を含む。各中継コネクタ装置１０２は、第１コネクタと、第１コネクタに接続されている第２コネクタと、第１コネクタと第２コネクタとを収容しているコネクタ保護ケースと、を含む。
【００１９】
また、スイッチ回路モジュール８は、正逆切換スイッチ１１にも接続されている。正逆切換スイッチ１１は、モータ３１の回転軸３１１の回転方向を切り換えるためのスイッチである。正逆切換スイッチ１１は、胴体部２１とグリップ部２２との境界付近に設けられている。
【００２０】
制御回路モジュールは、スイッチ回路モジュール８及びモータ３１と接続されている。制御回路モジュールは、電池パックが電池パック装着部に取り付けられた状態で、電池パックの一対の電源端子及び通信コネクタに接続される。これにより、制御回路モジュールは、一対の電源端子を介して電池パックから電源が供給される。また、制御回路モジュールは、通信コネタクを介して電池パックから電池情報を取得する。また、制御回路モジュールは、スイッチ回路モジュール８からの操作信号に基づいて、モータ３１（の回転軸３１１の回転速度、回転方向等）を制御する。
【００２１】
モータブロック３及び駆動ブロック４は、上述のようにハウジング２に収容されている。より詳細には、モータブロック３及び駆動ブロック４は、胴体部２１の内部空間に収容されている。モータブロック３及び駆動ブロック４は、ハウジング２に固定されている。胴体部２１には、モータブロック３の周囲に複数の通気孔２１１（図１参照）が形成されている。駆動ブロック４は、スピンドル４４を備えており、スピンドル４４のうちハウジング２から突出している端部がソケット装着部７を兼ねている。電動工具１では、ソケット装着部７に装着されたソケットにドライバービットを装着可能となっている。電動工具１では、ソケットによりドライバービットをスピンドル４４に固定することができる。
【００２２】
モータブロック３は、モータ３１と、ファン３２と、を有する。また、モータブロック３は、駆動回路モジュール３３を含む。
【００２３】
モータ３１は、ブラシレスモータである。モータ３１は、モータ本体３１０と、モータ本体３１０に回転可能に保持されている回転軸３１１と、を含む。
【００２４】
ファン３２は、複数の羽根３２１（図５参照）を有する。ファン３２は、モータ３１の回転軸３１１に連結されている。これにより、ファン３２は、モータ３１の回転軸３１１と一緒に回転する。
【００２５】
駆動回路モジュール３３は、制御回路モジュールにより制御されてモータ３１を駆動する。駆動回路モジュール３３は、回路基板と、回路基板に実装された複数のトランジスタと、回路基板及び複数のトランジスタを封止している封止部と、を含む。
【００２６】
電動工具１では、モータ３１の回転軸３１１は、駆動ブロック４に支持されている。モータ３１の回転軸３１１の回転は、インパクト機構を介してスピンドル４４に伝達される。
【００２７】
駆動ブロック４における伝達機構４０は、図２〜４に示すように、駆動軸４１と、ハンマー４２と、コイルばね４３と、スピンドル４４と、打撃部４５と、第１軸受４６と、第２軸受４７と、遊星歯車機構４８と、を有する。伝達機構４０では、モータ３１の回転軸３１１の回転は、駆動軸４１に伝達される。伝達機構４０におけるインパクト機構は、駆動軸４１、ハンマー４２、コイルばね４３、スピンドル４４、打撃部４５及び第１軸受４６を含む。
【００２８】
駆動軸４１は、モータブロック３側の第２軸受４７に回転可能に支持されている。駆動軸４１は、軸方向においてスピンドル４４側にスピンドル４４との連結部４１１を有する。これに対して、スピンドル４４は、スピンドル本体４４０の軸方向において駆動軸４１側に駆動軸４１との連結部４４１を有する。駆動ブロック４では、スピンドル４４の連結部４４１に駆動軸４１の連結部４１１が挿入され駆動軸４１と連結されている、これにより、スピンドル４４は、駆動軸４１と一緒に回転可能となっている。
【００２９】
ハンマー４２は、駆動軸４１を通す貫通孔４２１が形成されたハンマー本体４２０を有する。駆動ブロック４では、ハンマー本体４２０の貫通孔４２１の内周面に設けられた係合溝４２３と、駆動軸４１の外周面に設けられた係合溝４１３との間に鋼球４９が挟み込まれている。これにより、ハンマー４２は、駆動軸４１に対して、駆動軸４１の軸方向に移動可能であり、かつ、駆動軸４１に対して相対回転可能となっている。駆動ブロック４では、ハンマー４２が駆動軸４１に対して相対回転すると、その角度に応じてハンマー４２が駆動軸４１の軸方向に沿ってスピンドル４４に近づく方向又はスピンドル４４から遠ざかる方向に移動する。
【００３０】
ハンマー４２は、ハンマー本体４２０のスピンドル４４側の面４２４から突出した２つの突起４２５を有する。ハンマー本体４２０の外周形状は円形状である。２つの突起４２５は、ハンマー本体４２０の周方向において略等間隔で配置されている。２つの突起４２５は、打撃部４５を打撃可能（打撃部４５と衝突可能）となっている。２つの突起４２５の各々は、駆動軸４１の軸方向の一方から見て扇状である（図６参照）。
【００３１】
コイルばね４３は、ハンマー４２と遊星歯車機構４８との間に挟み込まれている。コイルばね４３は、円錐コイルばねである。ハンマー４２とコイルばね４３との間には複数の鋼球５０と、リング５１と、が挟み込まれている。これにより、コイルばね４３は、ハンマー４２と相対回転可能となっている。ハンマー４２は、駆動軸４１の軸方向に沿った方向において、コイルばね４３から打撃部４５側への力を受けている。打撃部４５は、スピンドル４４と一体に形成されている。
【００３２】
遊星歯車機構４８は、モータ３１の回転軸３１１の回転速度とトルクとをねじ回し動作に必要な回転速度とトルクとに変換する。遊星歯車機構４８は、減速装置である。遊星歯車機構４８は、モータ３１の回転軸３１１に連結されている太陽歯車４８１と、太陽歯車４８１の外側で太陽歯車４８１に噛み合う２つの遊星歯車４８２と、２つの遊星歯車４８２を支え２つの遊星歯車４８２に噛み合う内歯歯車４８３と、を含む。
【００３３】
伝達機構４０の一部を収容する機構室６０を有するケース６は、図２〜４、７及び８に示すように、取付ベース６１と、カバー６２と、を有する。取付ベース６１には、モータ３１の回転軸３１１を回転可能に支持する軸受５３が取り付けられる。カバー６２は、伝達機構４０を覆うように取付ベース６１に結合される。
【００３４】
取付ベース６１は、電気絶縁性を有する。取付ベース６１は、合成樹脂により形成されている。取付ベース６１の外周形状は円形状であり、取付ベース６１は、モータ３１の回転軸３１１の軸方向に沿った方向において、モータ本体３１０から離れるにつれて外径が段階的に大きくなっている。ここにおいて、取付ベース６１は、図４、７及び８に示すように、互いに外径が異なる大径部６１１と中径部６１２と小径部６１３とを含む。取付ベース６１では、大径部６１１、中径部６１２及び小径部６１３のうち大径部６１１の外径が最も大きく、小径部６１３の外径が最も小さい。中径部６１２の外径は、大径部６１１の外径よりも小さく、かつ、小径部６１３の外径よりも大きい。取付ベース６１は、モータ３１の回転軸３１１の軸方向に沿った方向において、モータ本体３１０に最も近い位置に小径部６１３が配置され、モータ本体３１０から最も遠い位置に大径部６１１が配置される。大径部６１１は、有底円筒状であり、底壁６１１１の中央に、貫通孔６１１２が形成されている。中径部６１２は、有底円筒状であり、底壁６１２１の中央に貫通孔６１２２が形成されている。中径部６１２は、大径部６１１の底壁６１１１における貫通孔６１１２の周縁からモータ本体３１０に向かって突出している。小径部６１３は、円筒状であり、中径部６１２の底壁６１２１における貫通孔６１２２の周縁からモータ本体３１０に向かって突出している。小径部６１３の内径は、貫通孔６１２２の内径よりも大きい。
【００３５】
また、取付ベース６１は、大径部６１１の底壁６１１１から中径部６１２と同じ向きに突出する２つの突出部６１５を有する。２つの突出部６１５は、中径部６１２の一径方向において中径部６１２の両側に位置し、中径部６１２とつながっている。２つの突出部６１５の各々には、中径部６１２の一径方向に沿った方向においてハウジング２の内周面に対向する端面に、ハウジング２に対するケース６の位置決め穴６３が形成されている。位置決め穴６３は、ハウジング２の内周面から突出した位置決め用突起２４（図３、４及び９参照）が挿入されるポケットである。位置決め用突起２４は、ハウジング２の内周面から中径部６１２の一径方向に沿った方向において中径部６１２に向かって突出している。これにより、電動工具１では、組み立て時に、モータ３１の回転軸３１１の軸方向に沿った方向において、ハウジング２とケース６との相対的な位置ずれを抑制する。また、電動工具１では、組み立て時に、位置決め用突起２４を位置決め穴６３に挿入することにより、ケース６が回るのを抑制することが可能となる。位置決め用突起２４の突出方向に直交する位置決め用突起２４の断面積は、位置決め穴６３の開口面積よりも小さい。電動工具１では、位置決め用突起２４の側面及び先端面と位置決め穴６３の内面との間には隙間が形成されている。
【００３６】
上述のモータ３１の回転軸３１１を支持する軸受５３（図２〜４参照）は、取付ベース６１の小径部６１３内に配置されている。軸受５３の外径は小径部６１３の内径と略同じである。
【００３７】
伝達機構４０において駆動軸４１を支持する第２軸受４７は、中径部６１２の内側に配置されている（図４参照）。第２軸受４７の外径は、中径部６１２の内径と略同じである。
【００３８】
伝達機構４０において遊星歯車機構４８の内歯歯車４８３は、取付ベース６１に保持されている（図７参照）。ここにおいて、内歯歯車４８３は、取付ベース６１にインサート成形（一体成形）されている。したがって、内歯歯車４８３は、取付ベース６１に固定されている。内歯歯車４８３は、大径部６１１の内側に配置されている。
【００３９】
カバー６２は、合金により形成されている。カバー６２は、互いに外径が異なる大径部６２１と小径部６２２とを有する。大径部６２１の外径は、小径部６２２の外径よりも大きい。カバー６２は、モータ３１の回転軸３１１の軸方向に沿った方向において、モータ本体３１０に近い側に大径部６２１が配置され、モータ本体３１０から遠い側に小径部６２２が配置されている。大径部６２１の軸方向の一端における大径部６２１の内径は、取付ベース６１の大径部６１１の外径と略同じである。
【００４０】
また、カバー６２は、フランジ部６２３（図３〜８参照）を有する。フランジ部６２３は、大径部６２１の軸方向の中間部から大径部６２１の径方向外向きに突出している。電動工具１では、ハウジング２の内周面（胴体部２１の内周面）に、フランジ部６２３の孔６２３１に通されたねじ６５０が嵌るねじ孔が形成されている。
【００４１】
取付ベース６１は、カバー６２の大径部６２１における小径部６２２側とは反対側の開口部を覆うようにカバー６２に結合されている。ケース６は、図８に示すように、取付ベース６１の大径部６１１の外周面の全周に亘って形成された溝６１４を有する。また、駆動ブロック４は、溝６１４の内面とカバー６２の大径部６２１の内周面との間に保持されるＯリング５４（図４、６、７及び８参照）を有している。
【００４２】
駆動ブロック４のインパクト機構では、駆動軸４１が略半回転するごとにハンマー４２と打撃部４５とが衝突し、衝突後、駆動軸４１がモータ３１の駆動力によって回転し続け、コイルばね４３を圧縮させながらハンマー４２が軸方向に後退するので、ハンマー４２が打撃部４５を乗り越えて次の衝突が発生する。
【００４３】
駆動ブロック４は、その組み立てに際して、遊星歯車機構４８等に潤滑剤が塗られている。したがって、ケース６の機構室６０内には、伝達機構４０用の潤滑剤が収納されている。潤滑剤は、伝達機構４０の摩擦、摩耗等を抑制するために用いられる。潤滑剤は、電気絶縁性を有する。潤滑剤は、例えば、半固体潤滑剤である。より詳細には、潤滑剤は、合成炭化水素油系のグリースである。
【００４４】
電動工具１は、図３及び４に示すように、機構室６０内とハウジング２の内部空間とをつなぐ連絡路６４を備える。連絡路６４は、ケース６に形成されている。より詳細には、連絡路６４は、取付ベース６１に形成されている。連絡路６４は、ケース６から見てモータブロック３（のモータ３１のモータ本体３１０）が位置する第１の向き（図４では左向き）とは異なる第２の向き（図４では下向き）に、機構室６０を開放する。ケース６は、回転軸３１１の軸方向の一方から見て外周形状が円形状である。連絡路６４は、図４に示すように、機構室６０に向けて開口する第１開口部６４１と、ハウジング２の内部空間に向けて第２の向きに開口する第２開口部６４２と、を有する。第２の向きは、ケース６の一径方向に沿った向きである。第１の向きと第２の向きとは直交する。第１開口部６４１の開口形状は、円形状である（図７参照）。第２開口部６４２の開口形状は、長方形状である（図７参照）。第１開口部６４１の開口面積は、第２開口部６４２の開口面積よりも小さい。
【００４５】
連絡路６４は、取付ベース６１の大径部６１１の底壁６１１１において位置決め穴６３の一部に重複する領域で底壁６１１１の厚さ方向に貫通した孔６６と、位置決め穴６３と、を含む。要するに、本実施形態の電動工具１では、連絡路６４の一部が、ケース６における位置決め穴６３と兼用されている。取付ベース６１の大径部６１１の一径方向において、孔６６と大径部６１１の底壁６１１１の中央の貫通孔６１１２との距離は、孔６６と大径部６１１の側壁６１１３との距離よりも短い（図４参照）。
【００４６】
電動工具１は、機構室６０からハウジング２の内部空間へ向けて流出する潤滑剤を捕捉するフィルタ６５（図３及び４参照）を更に備える。フィルタ６５は、通気性を有する。フィルタ６５は、連絡路６４内に配置されている。ここにおいて、フィルタ６５は、位置決め穴６３に収容されている。フィルタ６５は、例えば、フェルトである。これにより、電動工具１では、その組み立て時に、ケース６の位置決め穴６３にフィルタ６５を入れた状態（位置決め穴６３にフィルタ６５を詰めて位置決め穴６３を塞いだ状態）で、ハウジング２の位置決め用突起２４を挿入したときにフィルタ６５を変形させることができる。よって、電動工具１では、その組み立て時に、フィルタ６５によって位置決め用突起２４の挿入が阻害されるのを抑制することができる。電動工具１では、位置決め穴６３を塞いだ状態でも、機構室６０内で熱膨張して圧縮された空気がフィルタ６５を通して第２開口部６４２からハウジング２の内部空間へ流出することができる。また、電動工具１では、フィルタ６５で捕捉されなかった潤滑剤も第２開口部６４２からハウジング２の内部空間へ流出する。
【００４７】
連絡路６４は、潤滑剤を溜める捕捉室６４３を有する。捕捉室６４３は、取付ベース６１における位置決め穴６３の内部空間である。
【００４８】
電動工具１では、モータ３１の回転軸３１１の軸方向に直交する方向において、第１開口部６４１と回転軸３１１との距離が、第２開口部６４２と回転軸３１１との距離よりも短い（図４参照）。
【００４９】
また、電動工具１は、モータ３１の回転軸３１１の軸方向に沿った方向において、連絡路６４におけるハウジング２の内部空間へ向けて開口する開口部（第２開口部６４２）とモータブロック３（のモータ３１のモータ本体３１０）との間に位置する壁２５（図４及び９参照）を更に備える。壁２５の先端面２５１には、取付ベース６１の小径部６１３の外周面の一部に沿った円弧状の凹面２５２が形成されている。壁２５は、ケース６の径方向におけるハウジング２とケース６との位置決め用の壁である。壁２５は、ハウジング２に一体に形成されている。
【００５０】
上記の実施形態は、本発明の様々な実施形態の一つに過ぎない。上記の実施形態は、本発明の目的を達成できれば、設計等に応じて種々の変更が可能である。
【００５１】
例えば、電動工具１は、１つの連絡路６４を備えているが、これに限らず、連絡路６４を複数備えていてもよい。例えば、電動工具１は、位置決め穴６３とともに連絡路６４を規定する孔６６を２つ設け、２つの位置決め穴６３と２つの孔６６とを一対一につながるようにしてもよい。
【００５２】
また、連絡路６４は、位置決め穴６３とは別に設けられていてもよい。また、連絡路６４の第１開口部６４１は、第２開口部６４２とは反対向きに開口していてもよい。例えば、連絡路６４は、ケース６の径方向に沿って形成されていてもよい。
【００５３】
また、潤滑剤は、半固体潤滑剤に限らず、例えば、液体潤滑剤（潤滑油等）であってもよい。
【００５４】
フィルタ６５は、フェルトに限らず、他の材質であってもよい。
【００５５】
また、第１軸受４６及び第２軸受４７は、防水型のベアリングであってもよい。
【００５６】
また、伝達機構４０は、実施形態で説明した例に限らず、遊星歯車機構４８とは異なる歯車機構であってもよい。また、伝達機構４０は、歯車に限らず、クラッチ板等を含んでいてもよい。
【００５７】
また、変形例の電動工具では、ケースの機構室に伝達機構の全部が収容されていてもよい。
【００５８】
また、電動工具は、インパクトドライバーに限らず、例えば、インパクトレンチ、ドリルドライバー、ハンマードリル、ジグソー等でもよい。また、電動工具は、機構室内に潤滑剤が収納されていない構成であってもよい。また、電動工具では、モータブロックは、ファン及び駆動回路モジュールを備えていない構成であってもよい。要するに、モータブロックは、少なくともモータを備えていればよく、モータのみにより構成されていてもよい。また、電動工具は、ハウジングに通気孔が形成されていない構成であってもよい。
【００５９】
（まとめ）
以上説明した実施形態等から以下の態様が開示されていることは明らかである。
【００６０】
第１の態様に係る電動工具（１）は、モータ（３１）と、伝達機構（４０）と、ケース（６）と、ハウジング（２）と、連絡路（６４）と、を備える。伝達機構（４０）は、モータ（３１）の回転軸（３１１）の回転を工具に伝達する。ケース（６）は、伝達機構（４０）の少なくとも一部を収容する機構室（６０）を有する。ハウジング（２）は、モータブロック（３）とケース（６）とを収容している。連絡路（６４）は、ケース（６）に形成され、機構室（６０）内とハウジング（２）の内部空間とをつなぐ。連絡路（６４）は、ケース（６）から見てモータ（３１）が位置する第１の向きとは異なる第２の向きに、機構室（６０）を開放する。
【００６１】
第１の態様に係る電動工具（１）は、機構室（６０）内で圧縮された空気がモータ（３１）側へ流れるのを抑制することが可能となる。
【００６２】
第２の態様に係る電動工具（１）では、第１の態様において、機構室（６０）内に収納された潤滑剤と、連絡路（６４）内に配置され、機構室（６０）からハウジング（２）の内部空間へ向けて流出する潤滑剤を捕捉するフィルタ（６５）と、を更に備える。また、電動工具（１）では、潤滑剤が連絡路（６４）以外の隙間から流出するのを抑制することが可能となる。例えば、電動工具（１）では、スピンドル（４４）と第１軸受（４６）との隙間を通して潤滑剤がビット側へ流出したり、回転軸（３１１）と軸受（５３）との隙間を通して潤滑剤がモータ本体（３１０）側へ流出するのを抑制することが可能となる。
【００６３】
第２の態様に係る電動工具（１）では、ハウジング（２）の内部空間に潤滑剤が流出するのを抑制することが可能となる。
【００６４】
第３の態様に係る電動工具（１）では、第２の態様において、連絡路（６４）は、潤滑剤を溜める捕捉室（６４３）を有する。
【００６５】
第３の態様に係る電動工具（１）では、ハウジング（２）の内部空間に潤滑剤が流出するのを抑制することが可能となる。
【００６６】
第４の態様に係る電動工具（１）では、第１〜３の態様のいずれか一つにおいて、ケース（６）は、回転軸（３１１）の軸方向の一方から見て外周形状が円形状である。連絡路（６４）は、機構室（６０）に向けて開口する第１開口部（６４１）と、ハウジング（２）の内部空間に向けて第２の向きに開口する第２開口部（６４２）と、を有する。第２開口部（６４２）は、ケース（６）の一径方向に沿った向きである。
【００６７】
第４の態様に係る電動工具（１）では、機構室（６０）からハウジング（２）の内部空間に流出した空気及び潤滑剤がモータ（３１）側へ流れ込みにくくなる。
【００６８】
第５の態様に係る電動工具（１）では、第１〜４の態様のいずれか一つにおいて、連絡路（６４）は、機構室（６０）に向けて開口する第１開口部（６４１）と、ハウジング（２）の内部空間に向けて第２の向きに開口する第２開口部（６４２）と、を有する。第１開口部（６４１）と回転軸（３１１）との距離が、第２開口部（６４２）と回転軸（３１１）との距離よりも短い。
【００６９】
第５の態様に係る電動工具（１）では、連絡路（６４）の長さをより長くすることが可能となる。
【００７０】
第６の態様に係る電動工具（１）では、第１〜５の態様のいずれか一つにおいて、ハウジング（２）の内周面からケース（６）に向かって突出した位置決め用突起（２４）を更に備える。連絡路（６４）の一部が、ケース（６）において位置決め用突起（２４）が挿入される位置決め穴（６３）と兼用されている。
【００７１】
第６の態様に係る電動工具（１）では、連絡路（６４）の全部を位置決め穴（６３）とは別に設ける場合と比べて、容易に連絡路（６４）を長くすることが可能となる。
【００７２】
第７の態様に係る電動工具（１）は、第１〜６の態様のいずれか一つにおいて、回転軸（３１１）の軸方向に沿った方向において、連絡路（６４）におけるハウジング（２）の内部空間へ向けて開口する開口部（第２開口部６４２）とモータ（３１）との間に位置する壁（２５）を更に備える。
【００７３】
第７の態様に係る電動工具（１）では、機構室（６０）内で圧縮された空気がモータ（３１）側へ流れるのを、より抑制することが可能となる。
【００７４】
第８の態様に係る電動工具（１）は、第１〜７の態様のいずれか一つにおいて、モータ（３１）とファン（３２）とを含むモータブロック（３）を有する。ハウジング（２）は、モータブロック（３）の周囲に形成されてハウジング（２）の内部空間とハウジング（２）の外部空間とをつなぐ通気孔（２１１）を有する。
【００７５】
第８の態様に係る電動工具（１）では、ファン（３２）によってモータ（３１）を空冷することができ、モータ（３１）の温度上昇を抑制することが可能となる。また、電動工具（１）では、モータブロック（３）がファン（３２）を含むことにより、機構室（６０）からハウジング（２）の内部空間に流出した空気及び潤滑剤がファン（３２）によって飛び散るのを抑制することが可能なる。
【符号の説明】
【００７６】
１  電動工具
２  ハウジング
２１１  通気孔
２４  位置決め用突起
２５  壁
２６  位置決め用凹部
３  モータブロック
３１  モータ
３１１  回転軸
３２  ファン
４０  伝達機構
６  ケース
６０  機構室
６３  位置決め穴
６４  連絡路
６４１  第１開口部
６４２  第２開口部
６４３  捕捉室
６５  フィルタ
【図１】
2019098427.tif 000003
【図２】
2019098427.tif 000004
【図３】
2019098427.tif 000005
【図４】
2019098427.tif 000006
【図５】
2019098427.tif 000007
【図６】
2019098427.tif 000008
【図７】
2019098427.tif 000009
【図８】
2019098427.tif 000010
【図９】
2019098427.tif 000011